(57)【特許請求の範囲】
【請求項１】
（Ａ）第１の光硬化型インクを吐出するノズルが所定方向に並ぶ第１のノズル群と、
（Ｂ）第２の光硬化型インクを吐出するノズルが前記所定方向に並び、前記第１のノズル群よりも前記所定方向の一方側にずれて配置された第２のノズル群と、
（Ｃ）前記光硬化型インクに光を照射して前記光硬化型インクを硬化させる光照射部であって、前記第１のノズル群の前記所定方向の他方側の端部から前記第２のノズル群の前記所定方向の前記一方側の端部までに亘って少なくとも前記所定方向に延びて配置された光照射部と、
（Ｄ）前記ノズル群及び前記光照射部と媒体とを前記所定方向と交差する移動方向に相対移動させながら前記ノズルから前記光硬化型インクを吐出させる吐出動作と、前記ノズル群及び前記光照射部と前記媒体とを前記所定方向に相対移動させる搬送動作とを、繰り返し実行させる制御部であって、
前記第１のノズル群と前記第２のノズル群との前記所定方向の間にインクが吐出されない非吐出領域が設けられた状態で、前記第１の光硬化型インクによる主画像と前記第２の光硬化型インクによる背景画像とを重ねて形成させる制御部と、
（Ｅ）を有し、
（Ｆ）前記第１のノズル群の前記所定方向の長さに対する前記非吐出領域の前記所定方向の長さの比率、及び、前記第２のノズル群の前記所定方向の長さに対する前記非吐出領域の前記所定方向の長さの比率が、可変であり、
（Ｇ）前記比率が第１の値である場合に比べて、前記比率が前記第１の値よりも小さい第２の値である場合の方が、前記非吐出領域と前記移動方向に並ぶ前記光照射部の部位のみからの光の照射強度が強いことを特徴とする画像形成装置。
【請求項２】
請求項１に記載の画像形成装置であって、
前記主画像を構成する前記移動方向に沿うドット列を、間に前記搬送動作を含む複数回の前記吐出動作によって形成し、
前記背景画像を構成する前記移動方向に沿うドット列を、間に前記搬送動作を含む複数回の前記吐出動作によって形成する、
画像形成装置。
【請求項３】
請求項１または請求項２に記載の画像形成装置であって、
前記第１のノズル群の前記所定方向の長さ、前記第２のノズル群の前記所定方向の長さ、及び、前記非吐出領域の前記所定方向の長さが、前記搬送動作における前記ノズル群及び前記光照射部と前記媒体との前記所定方向の相対移動量の整数倍の長さである、
画像形成装置。
【請求項４】
（Ａ）第１の光硬化型インクを吐出するノズルが所定方向に並ぶ第１のノズル群と、
（Ｂ）第２の光硬化型インクを吐出するノズルが前記所定方向に並び、前記第１のノズル群よりも前記所定方向の一方側にずれて配置された第２のノズル群と、
（Ｃ）前記光硬化型インクに光を照射して前記光硬化型インクを硬化させる光照射部であって、前記第１のノズル群の前記所定方向の他方側の端部から前記第２のノズル群の前記所定方向の前記一方側の端部までに亘って少なくとも前記所定方向に延びて配置された光照射部と、
（Ｄ）前記ノズル群及び前記光照射部と媒体とを前記所定方向と交差する移動方向に相対移動させながら前記ノズルから前記光硬化型インクを吐出させる吐出動作と、前記ノズル群及び前記光照射部と前記媒体とを前記所定方向に相対移動させる搬送動作とを、繰り返し実行させる制御部であって、
前記第１のノズル群と前記第２のノズル群との前記所定方向の間にインクが吐出されない非吐出領域が設けられた状態で、前記第１の光硬化型インクによる主画像と前記第２の光硬化型インクによる背景画像とを重ねて形成させる制御部と、
（Ｅ）を有し、
（Ｆ）前記第１のノズル群の前記所定方向の長さに対する前記非吐出領域の前記所定方向の長さの比率、及び、前記第２のノズル群の前記所定方向の長さに対する前記非吐出領域の前記所定方向の長さの比率が、可変であり、
（Ｇ）前記比率が第１の値である場合に比べて、前記比率が前記第１の値よりも小さい第２の値である場合の方が、前記非吐出領域と前記移動方向に並ぶ前記光照射部の部位のみからの光の照射強度が強い画像形成装置を用いて前記媒体に画像を形成することを特徴とする画像形成方法。
【発明の詳細な説明】
【技術分野】
【０００１】
本発明は、画像形成装置、及び、画像形成方法に関する。
【背景技術】
【０００２】
画像形成装置であるプリンターの中には、紫外線を照射すると硬化するインク（ＵＶインク）を使用するものがある。ヘッドが移動しながらＵＶインクを吐出するプリンターの中には、ヘッドの移動方向における両端部に紫外線の照射光源が設けられたものがある（例えば、特許文献１を参照）。このようなプリンターでは、媒体上に着弾したＵＶインクを直ぐに硬化させることが出来る。
【先行技術文献】
【特許文献】
【０００３】
【特許文献１】特開２００５−２５４５６０号公報
【発明の概要】
【発明が解決しようとする課題】
【０００４】
ただし、ヘッドの１回の移動動作（パス）で媒体上のＵＶインクに照射可能な紫外線の照射量は少なく、１回のパスでは媒体上のＵＶインクを十分に硬化出来ない虞がある。そのため、主画像と背景画像を重ねて印刷する場合に、下層画像を印刷したパスの直後のパスで上層画像が重ねて印刷されてしまうと、下層画像の硬化が不十分な状態で上層画像が重ねられてしまう。  
そこで、本発明では、下層画像の硬化不良を抑制することを目的とする。
【課題を解決するための手段】
【０００５】
前記課題を解決する為の主たる発明は、（Ａ）第１の光硬化型インクを吐出するノズルが所定方向に並ぶ第１のノズル群と、（Ｂ）第２の光硬化型インクを吐出するノズルが前記所定方向に並び、前記第１のノズル群よりも前記所定方向の一方側にずれて配置された第２のノズル群と、（Ｃ）前記光硬化型インクに光を照射して前記光硬化型インクを硬化させる光照射部であって、前記第１のノズル群の前記所定方向の他方側の端部から前記第２のノズル群の前記所定方向の前記一方側の端部までに亘って少なくとも前記所定方向に延びて配置された光照射部と、（Ｄ）前記ノズル群及び前記光照射部と媒体とを前記所定方向と交差する移動方向に相対移動させながら前記ノズルから前記光硬化型インクを吐出させる吐出動作と、前記ノズル群及び前記光照射部と前記媒体とを前記所定方向に相対移動させる搬送動作とを、繰り返し実行させる制御部であって、前記第１のノズル群と前記第２のノズル群との前記所定方向の間にインクが吐出されない非吐出領域が設けられた状態で、前記第１の光硬化型インクによる主画像と前記第２の光硬化型インクによる背景画像とを重ねて形成させる制御部と、（Ｅ）を有し、（Ｆ）前記第１のノズル群の前記所定方向の長さに対する前記非吐出領域の前記所定方向の長さの比率、及び、前記第２のノズル群の前記所定方向の長さに対する前記非吐出領域の前記所定方向の長さの比率が、可変であり、（Ｇ）前記比率が第１の値である場合に比べて、前記比率が前記第１の値よりも小さい第２の値である場合の方が、前記非吐出領域と前記移動方向に並ぶ前記光照射部の部位のみからの光の照射強度が強いことを特徴とする画像形成装置である。
本発明の他の特徴は、本明細書、及び添付図面の記載により、明らかにする。
【図面の簡単な説明】
【０００６】
【図１】プリンターの全体構成ブロック図である。
【図２】図２Ａはプリンターの概略斜視図であり、図２Ｂはキャリッジの周辺を説明する図である。
【図３】プリンターが有する印刷モードを説明する図である。
【図４】図４Ａは比較例の印刷方法で使用するノズルを説明する図であり、図４Ｂは比較例の印刷方法を説明する図である。
【図５】図５Ａは実施例１の印刷方法で使用するノズルを説明する図であり、図５Ｂは実施例１の印刷方法を説明する図である。
【図６Ａ】実施例２の印刷方法を説明する図である。
【図６Ｂ】実施例２の印刷方法を説明する図である。
【図６Ｃ】実施例２の印刷方法を説明する図である。
【図７】照射用ノズル群の搬送方向の長さを決定するフローの一例である。
【発明を実施するための形態】
【０００７】
＝＝＝開示の概要＝＝＝
本明細書の記載、及び添付図面の記載により、少なくとも次のことが明らかとなる。
【０００８】
即ち、（Ａ）第１の光硬化型インクを吐出するノズルが所定方向に並ぶ第１のノズル群と、（Ｂ）第２の光硬化型インクを吐出するノズルが前記所定方向に並び、前記第１のノズル群よりも前記所定方向の一方側にずれて配置された第２のノズル群と、（Ｃ）前記光硬化型インクに光を照射して前記光硬化型インクを硬化させる光照射部であって、前記第１のノズル群の前記所定方向の他方側の端部から前記第２のノズル群の前記所定方向の前記一方側の端部までに亘って少なくとも前記所定方向に延びて配置された光照射部と、（Ｄ）前記ノズル群及び前記光照射部と媒体とを前記所定方向と交差する移動方向に相対移動させながら前記ノズルから前記光硬化型インクを吐出させる吐出動作と、前記ノズル群及び前記光照射部と前記媒体とを前記所定方向に相対移動させる搬送動作とを、繰り返し実行させる制御部であって、前記第１のノズル群と前記第２のノズル群との前記所定方向の間にインクが吐出されない非吐出領域が設けられた状態で、前記第１の光硬化型インクによる主画像と前記第２の光硬化型インクによる背景画像とを重ねて形成させる制御部と、（Ｅ）を有することを特徴とする画像形成装置である。  
このような画像形成装置によれば、下層画像の硬化不良を抑制することができ、下層画像が十分に硬化した状態で上層画像を重ねることができるので、画像の品質劣化を抑制することができる。
【０００９】
かかる画像形成装置であって、前記主画像を構成する前記移動方向に沿うドット列を、間に前記搬送動作を含む複数回の前記吐出動作によって形成し、前記背景画像を構成する前記移動方向に沿うドット列を、間に前記搬送動作を含む複数回の前記吐出動作によって形成すること。  
このような画像形成装置によれば、先の吐出動作で形成された下層画像の部位と後の吐出動作で形成された下層画像の部位との硬化度合いの違いによる画像の色むらを抑制することができる。
【００１０】
かかる画像形成装置であって、前記第１のノズル群の前記所定方向の長さに対する前記非吐出領域の前記所定方向の長さの比率、及び、前記第２のノズル群の前記所定方向の長さに対する前記非吐出領域の前記所定方向の長さの比率が、可変であること。  
このような画像形成装置によれば、下層画像の硬化不良を抑制しつつ、画像形成時間を短縮することができる。
【００１１】
かかる画像形成装置であって、前記比率が第１の値である場合に比べて、前記比率が前記第１の値よりも小さい第２の値である場合の方が、前記光照射部からの光の照射強度が強いこと。  
このような画像形成装置によれば、下層画像の硬化不良を抑制しつつ、画像形成時間を短縮することができる。
【００１２】
かかる画像形成装置であって、前記第１のノズル群の前記所定方向の長さ、前記第２のノズル群の前記所定方向の長さ、及び、前記非吐出領域の前記所定方向の長さが、前記搬送動作における前記ノズル群及び前記光照射部と前記媒体との前記所定方向の相対移動量の整数倍の長さであること。  
このような画像形成装置によれば、各画像を構成するドット列を形成するノズル数を一定にすることができ、また、下層画像の形成後に下層画像に光を照射する時間を一定にすることができる。
【００１３】
また、（Ａ）第１の光硬化型インクを吐出するノズルが所定方向に並ぶ第１のノズル群と、（Ｂ）第２の光硬化型インクを吐出するノズルが前記所定方向に並び、前記第１のノズル群よりも前記所定方向の一方側にずれて配置された第２のノズル群と、（Ｃ）前記光硬化型インクに光を照射して前記光硬化型インクを硬化させる光照射部であって、前記第１のノズル群の前記所定方向の他方側の端部から前記第２のノズル群の前記所定方向の前記一方側の端部までに亘って少なくとも前記所定方向に延びて配置された光照射部と、（Ｄ）前記ノズル群及び前記光照射部と媒体とを前記所定方向と交差する移動方向に相対移動させながら前記ノズルから前記光硬化型インクを吐出させる吐出動作と、前記ノズル群及び前記光照射部と前記媒体とを前記所定方向に相対移動させる搬送動作とを、繰り返し実行させる制御部であって、前記第１のノズル群と前記第２のノズル群との前記所定方向の間にインクが吐出されない非吐出領域が設けられた状態で、前記第１の光硬化型インクによる主画像と前記第２の光硬化型インクによる背景画像とを重ねて形成させる制御部と、（Ｅ）を有する画像形成装置を用いて前記媒体に画像を形成することを特徴とする画像形成方法である。  
このような画像形成方法によれば、下層画像の硬化不良を抑制することができ、下層画像が十分に硬化した状態で上層画像を重ねることができるので、画像の品質劣化を抑制することができる。
【００１４】
＝＝＝印刷システム＝＝＝
画像形成装置をインクジェットプリンター（以下、プリンター）とし、プリンターとコンピューターが接続された印刷システムを例に挙げて、実施形態を説明する。
【００１５】
図１は、プリンター１の全体構成ブロック図であり、図２Ａは、プリンター１の概略斜視図であり、図２Ｂは、キャリッジ３１の周辺を説明する図である。なお、図２Ｂでは、ヘッド４１の上方から見たノズルの配列を仮想的に示す。
【００１６】
本実施形態のプリンター１は、紫外線の照射によって硬化する紫外線硬化型インクを吐出することにより、媒体Ｓ（例：用紙、布、フィルム）に画像を印刷する。なお、紫外線硬化型インク（以下、ＵＶインク）は、紫外線硬化樹脂を含むインクであり、紫外線の照射を受けると紫外線硬化樹脂において光重合反応が起こることにより硬化する。
【００１７】
コンピューター７０は、プリンター１と通信可能に接続されており、プリンター１に画像を印刷させるための印刷データをプリンター１に出力する。
【００１８】
コントローラー１０は、プリンター１の制御を行うための制御ユニットである。インターフェース部１１はコンピューター７０とプリンター１との間でデータの送受信を行うためのものである。ＣＰＵ１２はプリンター１全体の制御を行うための演算処理装置である。メモリー１３はＣＰＵ１２のプログラムを格納する領域や作業領域等を確保するためのものである。ＣＰＵ１２はユニット制御回路１４により各ユニットを制御する。なお、プリンター１内の状況を検出器群６０が監視し、その検出結果に基づいて、コントローラー１０は各ユニットを制御する。
【００１９】
搬送ユニット２０は、媒体Ｓを印刷可能な位置に送り込み、印刷時には搬送方向に所定の搬送量で媒体Ｓを搬送するためのものである。  
キャリッジユニット３０は、キャリッジ３１に搭載されたヘッド４１等を、搬送方向と交差する移動方向に移動するためのものである。
【００２０】
ヘッドユニット４０は、媒体Ｓにインクを吐出するためのものであり、ヘッド４１を有する。ヘッド４１の下面には、図２Ｂに示すように、インクを吐出するノズルが搬送方向に所定の間隔（ノズルピッチＤ）おきに並んだノズル列が複数形成されている。説明のため、ノズル列に属するノズルのうち、搬送方向下流側のノズルから順に小さい番号を付す（＃１、＃２…）。
【００２１】
本実施形態のプリンター１は５色のインク（ＹＭＣＫ・Ｗ）を吐出可能とし、ヘッド４１には、イエローインクを吐出するイエローノズル列Ｙと、マゼンタインクを吐出するマゼンタノズル列Ｍと、シアンインクを吐出するシアンノズル列Ｃと、ブラックインクを吐出するブラックノズル列Ｋと、白インクを吐出するホワイトノズル列Ｗが、形成されている。
【００２２】
なお、ノズルはインクが充填されたインク室に連通し、ノズルからのインク吐出方式は、駆動素子（ピエゾ素子）に電圧をかけてインク室を膨張・収縮させることによりノズルからインクを吐出させるピエゾ方式でもよいし、発熱素子を用いてノズル内に気泡を発生させ、その気泡によってノズルからインクを吐出させるサーマル方式でもよい。
【００２３】
このようなプリンター１では、ヘッド４１が移動方向に移動しながらノズルからインクを吐出する吐出動作と、媒体Ｓが搬送方向に搬送される搬送動作と、が繰り返される。その結果、先の吐出動作により形成されたドットの位置とは異なる媒体Ｓ上の位置に、後の吐出動作にてドットが形成されるため、媒体Ｓ上に２次元の画像を印刷することができる。以下、ヘッド４１による１回の吐出動作を「パス」とも呼ぶ。
【００２４】
照射ユニット５０は、媒体Ｓに着弾したＵＶインクに紫外線を照射して、ＵＶインクを硬化させるためのものであり、仮照射部５１と本照射部５２を有する。なお、紫外線照射の光源として、例えば、発光ダイオード（ＬＥＤ：Light Emitting Diode）や、メタルハライドランプ、水銀ランプなどが挙げられる。また、照射部による単位面積あたりの紫外線の照射量（照射エネルギー（ｍＪ／ｃｍ２））は、紫外線の照射強度（ｍＷ／ｃｍ２）と照射時間（ｓ）の積で定められる。
【００２５】
仮照射部５１ａ，５１ｂは、図２Ｂに示すように、キャリッジ３１の移動方向における両端部に設けられ、キャリッジ３１の移動に伴ってヘッド４１と共に移動方向に移動する。なお、仮照射部５１ａ，５１ｂとノズル列の搬送方向の位置は等しく、仮照射部５１ａ，５１ｂの搬送方向の長さはノズル列の搬送方向の長さ以上である。よって、移動方向への移動中にヘッド４１から吐出されたＵＶインクは、媒体Ｓに着弾すると直ぐに、仮照射部５１ａ，５１ｂにより紫外線が照射される。
【００２６】
キャリッジ３１が移動方向の左側に移動する往路時には、ヘッド４１から吐出されたＵＶインクは、移動方向の右側に位置する第１仮照射部５１ａにより紫外線が照射される。逆に、キャリッジ３１が移動方向の右側に移動する復路時には、ヘッド４１から吐出されたＵＶインクは、移動方向の左側に位置する第２仮照射部５１ｂにより紫外線が照射される。
【００２７】
本照射部５２は、キャリッジ３１よりも搬送方向の下流側に固定して設けられている。本照射部５２の移動方向の長さは媒体Ｓの移動方向の長さ以上であり、本照射部５２の下を通過する媒体Ｓ上のＵＶインクに紫外線が照射される。よって、本照射部５２により、媒体Ｓ上のＵＶインクは完全に硬化され、ＵＶインクによる画像が完成する。
【００２８】
＝＝＝印刷モード＝＝＝
図３は、プリンター１が有する印刷モードを説明する図である。４色のインク（ＹＭＣＫ）を使用して印刷する主画像（カラー画像やモノクロ画像）に、白インク（Ｗ）を使用して印刷する背景画像を重ねて印刷する場合がある。そうすることで、例えば、媒体が白色でない場合に主画像の発色性を良くしたり、媒体が透明である場合に主画像の反対側が透けてしまうことを防止したりすることが出来る。
【００２９】
主画像と背景画像を重ねて印刷する場合、プリンター１は、「表刷りモード」と「裏刷りモード」の何れか一方のモードにて印刷を行う。表刷りモードは、主画像を印刷面側から視認するように印刷するモードであり、媒体の所定領域に対して背景画像が先に印刷され、背景画像上に主画像が印刷される。裏刷りモードは、媒体を介して主画像を視認するように印刷するモードであり、媒体の所定領域に対して主画像が先に印刷され、主画像上に背景画像が印刷される。
【００３０】
＝＝＝比較例の印刷方法＝＝＝
図４Ａは、比較例の印刷方法で使用するノズルを説明する図であり、図４Ｂは、比較例の印刷方法を説明する図である。以下、主画像と背景画像を重ねて印刷する比較例の印刷方法について、背景画像上に主画像を重ねる「表刷りモード」を例に挙げて説明する。図では、１ノズル列に属するノズル数を減らし（＃１〜＃８）、４色のインク（ＹＭＣＫ）を各々吐出するノズル列をまとめて「カラーノズル列Ｃｏ」として示す。
【００３１】
また、説明の容易のために、キャリッジ３１が移動方向の左側に移動する時（往路時）にだけヘッド４１がインクを吐出する印刷方法（所謂、単方向印刷）を例に挙げる。そして、ヘッド４１が移動する側の反対側（右側）に設けられた第１仮照射部５１ａだけが紫外線を照射し、ヘッド４１が移動する側（左側）に設けられた第２仮照射部５１ｂ（不図示）は紫外線を照射しないとする。
【００３２】
比較例の表刷りモードでは、ホワイトノズル列Ｗに属するノズル（＃１〜＃８）のうち、搬送方向下流側の半分のノズル群（＃１〜＃４）を不使用ノズル群とし、搬送方向上流側の半分のノズル群（＃５〜＃８）を、背景画像を印刷するために使用するノズル群（背景画像用ノズル群）とする。一方、カラーノズル列Ｃｏに属するノズル（＃１〜＃８）のうち、搬送方向下流側の半分のノズル群（＃１〜＃４）を、主画像を印刷するために使用するノズル群（主画像用ノズル群）とし、搬送方向上流側の半分のノズル群（＃５〜＃８）を不使用ノズル群とする。
【００３３】
ここでは、主画像と背景画像が、それぞれ４回のパスで異なるノズルにより印刷されるとする。即ち、各画像を構成する移動方向に沿うドット列（以下、ラスターライン）が４回のパスで異なるノズルにより完成されるとする。また、１回のパスで、移動方向に並ぶ画素領域（印刷解像度に応じて媒体上に規定される単位領域）のうちの１／４の画素領域にドットが形成され、４回のパスで移動方向に並ぶ全画素領域にドットが形成されるとする。
【００３４】
そのために、図４Ｂに示すように、１回の媒体搬送量をノズルピッチＤとする。つまり、プリンター１は、主画像用ノズル群と背景画像用ノズル群による吐出動作と、媒体を搬送方向下流側に搬送量Ｄで搬送する搬送動作とを、交互に繰り返す。なお、図４Ｂでは、主画像用ノズル群（●）と背景画像用ノズル群（○）を１つのノズル列で示す。また、実際にはヘッド４１に対して媒体が搬送方向下流側に搬送されるが、図４Ｂでは、各パスのヘッド４１の相対位置関係を示すために、ヘッド４１を搬送方向上流側にずらして示す。
【００３５】
その結果、パス１にて、媒体上の搬送方向における位置Ａは背景画像用ノズル群（Ｗの＃８）と対向し、位置Ａには白インクが吐出され、第１仮照射部５１ａが位置Ａに着弾した白インクに紫外線を照射する。その後のパス２〜パス４でも、位置Ａは背景画像用ノズル群（Ｗの＃５〜＃７）と対向し、位置Ａには白インクが吐出され、その白インクに紫外線が照射される。即ち、媒体上の位置Ａには、パス１〜パス４で、背景画像の一部（背景画像を構成するラスターライン）が印刷される。
【００３６】
その後、背景画像の印刷が完了したパス４の次のパス５にて、媒体上の位置Ａは主画像用ノズル群（Ｃｏの＃４）と対向し、位置Ａの背景画像上に４色インク（ＹＭＣＫ）が吐出され、その４色インクに紫外線が照射される。その後のパス６〜パス８でも、位置Ａは主画像用ノズル群（Ｃｏの＃１〜＃３）と対向し、位置Ａには４色インクが吐出され、その４色インクに紫外線が照射される。即ち、媒体上の位置Ａに既に印刷されている背景画像の一部の上に、パス５〜パス８で主画像の一部（主画像を構成するラスターライン）が印刷され、表刷りモードに応じた順に画像が重ねて印刷される。
【００３７】
なお、裏刷りモード（不図示）では、逆に、ホワイトノズル列Ｗの搬送方向下流側の半分のノズル群（＃１〜＃４）を背景画像用ノズル群とし、カラーノズル列Ｃｏの搬送方向上流側の半分のノズル群（＃５〜＃８）を主画像用ノズル群とする。
【００３８】
このように、主画像と背景画像を重ねて印刷する場合に、先に印刷する画像（下層画像）用のノズル群を、後に印刷する画像（上層画像）用のノズル群よりも、搬送方向の上流側にずれて配置されたノズル群とする。そうすることで、媒体の所定領域は上層画像用ノズル群よりも先に下層画像用ノズル群と対向するので、異なるパスで下層画像上に上層画像を重ねて印刷することが出来る。
【００３９】
ただし、比較例の印刷方法では、下層画像用ノズル群（図４Ａの背景画像用ノズル群・Ｗの＃５〜＃８）の直ぐ下流側のノズル群を、上層画像用ノズル群（図４Ａの主画像用ノズル群・Ｃｏの＃１〜＃４）としている。即ち、下層画像用ノズル群と上層画像用ノズル群との搬送方向の間隔を、ノズルピッチＤ、及び、媒体の搬送量Ｄと等しくしている。そのため、媒体の所定領域に対する下層画像の印刷が完了するパスの次のパスで、下層画像上に上層画像が重ねて印刷されてしまう。
【００４０】
つまり、比較例の印刷方法では、媒体の所定領域に対して下層画像の印刷が完了するパスと上層画像の印刷を開始するパスとの間に他のパスが含まれることは無く、下層画像と上層画像を印刷する時間間隔が短い。
【００４１】
ところで、キャリッジ３１に設けられた仮照射部５１ａは、移動方向に移動しながら、媒体上のＵＶインクに紫外線を照射する。そのため、仮照射部５１ａが１回のパスで媒体上のＵＶインクに紫外線を照射する時間は短く、仮照射部５１ａが１回のパスで媒体上のＵＶインクに照射可能な紫外線の照射量（照射エネルギー）は小さい。よって、１回のパスで仮照射部５１ａから照射される紫外線の照射量では、媒体上のＵＶインクは十分に硬化しない。
【００４２】
そのため、比較例の印刷方法のように、下層画像の印刷が完了した次のパスで上層画像を重ねて印刷する印刷方法では、下層画像の硬化が不十分な状態で、上層画像が重ねて印刷されてしまう虞がある。特に、媒体の所定領域の下層画像を複数回のパスで印刷する場合、最後のパスで印刷された下層画像の部位は、最後の１回のパスだけでしか仮照射部５１ａにより紫外線が照射されていない状態で、上層画像が重ねられてしまう。
【００４３】
例えば、図４Ｂに示す印刷方法において、媒体上の位置Ａにパス１で印刷された背景画像の部位は、パス１〜パス４の４回に亘って仮照射部５１ａにより紫外線が照射されるが、媒体上の位置Ａにパス４で印刷された背景画像の部位は、パス４の１回だけしか仮照射部５１ａにより紫外線が照射されない。そのため、パス４で印刷された背景画像の部位は、特に、硬化度合いが低い状態で、上層画像が重ねられてしまう。
【００４４】
下層画像の硬化が不十分な状態で上層画像が重ねて印刷されてしまうと、例えば、画像が剥がれたり、インクの凝集・滲みなどの問題が生じたり、下層画像に上層画像が埋もれて２つの画像を重ねて印刷することが出来なかったりしてしまう。また、下層画像を複数回のパスで印刷する場合、先のパスで印刷された下層画像の部位と後のパスで印刷された下層画像の部位とで、仮照射部５１ａにより紫外線が照射されるパス数が異なり、硬化度合いが異なってしまう。その結果、画像に色むらが生じてしまう。つまり、比較例の印刷方法のように、下層画像の硬化が不十分な状態で上層画像を重ねて印刷してしまうと、画像の品質が低下してしまう。
【００４５】
＝＝＝本実施形態の印刷方法：実施例１＝＝＝
図５Ａは、本実施形態（実施例１）の印刷方法で使用するノズルを説明する図であり、図５Ｂは、本実施形態（実施例１）の印刷方法を説明する図である。以下、主画像と背景画像を重ねて印刷する本実施形態の印刷方法を、表刷りモードを例に挙げて説明する。
【００４６】
説明の容易のために、比較例の印刷方法と同様に、往路時にだけヘッド４１がインクを吐出し、第１仮照射部５１ａだけが紫外線を照射することとする。また、主画像と背景画像をそれぞれ構成するラスターラインは４回のパスで異なるノズルにより印刷され、各パスで移動方向に並ぶ画素領域の１／４にドットが形成されるとし、１回の搬送動作における媒体の搬送量をノズルピッチＤとする。
【００４７】
そして、図５Ａに示すように、本実施形態の印刷方法では、表刷りモードの場合、ホワイトノズル列Ｗに属するノズル（＃１〜＃１２）のうち、搬送方向下流側の１／３のノズル群（＃１〜＃４）を不使用ノズル群とし、搬送方向上流側の１／３のノズル群（＃９〜＃１２）を背景画像用ノズル群とし、搬送方向中央の１／３のノズル群（＃５〜＃８）を「照射用ノズル群」とする。一方、カラーノズル列Ｃｏに属するノズル（＃１〜＃１２）のうち、搬送方向下流側の１／３のノズル群（＃１〜＃４）を主画像用ノズル群とし、搬送方向上流側の１／３のノズル群（＃９〜＃１２）を不使用ノズル群とし、搬送方向中央の１／３のノズル群（＃５〜＃８）を「照射用ノズル群」とする。
【００４８】
「照射用ノズル群」は、不使用ノズル群と同様に、媒体にインクを吐出しないノズル群である。ただし、不使用ノズル群は画像を印刷するノズル群（主画像用ノズル群や背景画像用ノズル群）と移動方向に並ぶので、あるパスで不使用ノズル群と対向する媒体の部位にはインクが吐出される。一方、ホワイトノズル列Ｗとカラーノズル列Ｃｏの各照射用ノズル群の搬送方向の位置は等しく、照射用ノズル群同士が移動方向に並ぶ。よって、あるパスで照射用ノズル群と対向する媒体の部位には、インクが吐出されず、仮照射部５１ａ，５１ｂにより紫外線が照射されるだけである。つまり、照射用ノズル群は、対向する媒体の部位に既に着弾しているＵＶインクに仮照射部５１ａ，５１ｂが紫外線を照射する照射専用のパスを設けるためのノズル群である。
【００４９】
このようなノズル設定において、プリンター１は、主画像用ノズル群と背景画像用ノズル群による吐出動作と、媒体を搬送方向下流側に搬送量Ｄで搬送する搬送動作とを、交互に繰り返す。その結果、図５Ｂに示すように印刷が行われる。
【００５０】
媒体上の搬送方向における位置Ａは、まず、パス１〜パス４で、背景画像用ノズル群（Ｗの＃９〜＃１２）と対向し、位置Ａには白インクが吐出され、第１仮照射部５１ａが位置Ａに着弾した白インクに紫外線を照射する。即ち、位置Ａには、パス１〜パス４で、背景画像の一部（背景画像を構成するラスターライン）が印刷される。
【００５１】
その後、媒体上の位置Ａはパス５〜パス８で照射用ノズル群（Ｗ，Ｃｏの＃５〜＃８）と対向するので、位置Ａにはインクが吐出されず、第１仮照射部５１ａが位置Ａに着弾している白インクに紫外線を照射するだけとなる。よって、パス１〜パス４で位置Ａに印刷された背景画像の一部は、直ぐ次のパス５で主画像を重ねられてしまうことはなく、パス５〜パス８で第１仮照射部５１ａが照射する紫外線により十分に硬化する。
【００５２】
その後、媒体上の位置Ａはパス９〜パス１２で主画像用ノズル群（Ｃｏの＃１〜＃４）と対向し、位置Ａの背景画像上に４色インクが吐出され、第１仮照射部５１ａが位置Ａに着弾している４色インクに紫外線を照射する。即ち、パス５〜パス８で十分に硬化した位置Ａの背景画像の一部の上に、パス９〜パス１２で、主画像の一部（主画像を構成するラスターライン）が重ねて印刷される。
【００５３】
なお、裏刷りモード（不図示）では、逆に、ホワイトノズル列Ｗの搬送方向下流側の１／３のノズル群（＃１〜＃４）を背景画像用ノズル群とし、カラーノズル列Ｃｏの搬送方向上流側の１／３のノズル群（＃９〜＃１２）を主画像用ノズル群とし、各ノズル列Ｗ，Ｃｏの搬送方向中央の１／３のノズル群（＃５〜＃８）を照射用ノズル群とする。この場合、媒体の所定領域に主画像が印刷された後、媒体の所定領域は照射用ノズル群と対向するため、主画像が仮照射部５１ａにより十分に硬化された状態で、主画像上に背景画像を印刷することができる。
【００５４】
このように主画像と背景画像を重ねて印刷する場合に、本実施形態では、プリンター１のコントローラー１０（制御部）が、４色インク（第１の光硬化型インク）を吐出するノズルが搬送方向（所定方向）に並ぶカラーノズル列Ｃｏの一部を「主画像用ノズル群（第１のノズル群）」に設定し、白インク（第２の光硬化型インク）を吐出するノズルが搬送方向に並ぶホワイトノズル列Ｗの一部であり、主画像用ノズル群よりも搬送方向の一方側にずれて配置されたノズル群を「背景画像用ノズル群（第２のノズル群）」に設定する。この時、コントローラー１０は、主画像と背景画像のうち、媒体の所定領域に対して先に形成する画像用のノズル群を、後に形成する画像用のノズル群よりも、搬送方向の上流側にずれて配置されたノズル群とする。
【００５５】
更に、コントローラー１０は、各ノズル列Ｗ，Ｃｏについて、主画像用ノズル群と背景画像用ノズル群との搬送方向の間に、インクを吐出しない「照射用ノズル群」を設ける。つまり、コントローラー１０は、主画像用ノズル群と背景画像用ノズル群との搬送方向の間にインクが吐出されない「非吐出領域（照射用ノズル群が位置する領域）」を設けた状態で、ノズル列Ｗ，Ｃｏと仮照射部５１ａ，５１ｂを移動方向に移動させながらノズルからインクを吐出させる吐出動作と媒体の搬送動作とを繰り返し実行させて、主画像と背景画像を重ねて印刷させる。
【００５６】
なお、背景画像用ノズル群が主画像用ノズル群よりも搬送方向の一方側にずれている場合、仮照射部５１ａ，５１ｂ（光照射部）は、主画像ノズル群の搬送方向における他方側の端部から背景画像用ノズル群の搬送方向における一方側の端部までに亘って少なくとも搬送方向に延びているようにする。即ち、照射用ノズル群の搬送方向の位置と等しい位置に仮照射部５１ａ，５１ｂが存在するようにする。
【００５７】
そうすることで、印刷モードに応じた順に主画像と背景画像を異なるパスで重ねて印刷することができ、また、媒体の所定領域に対する下層画像の印刷が完了した後に、媒体の所定領域と上層画像を印刷するノズル群とを対向させるのではなく、媒体の所定領域（下層画像）と照射用ノズル群（非吐出領域）とを対向させることができる。即ち、媒体の所定領域に対する下層画像の印刷が完了してから上層画像が重ねて印刷されるまでの間に、インクが吐出されずに、仮照射部５１ａ，５１ｂが紫外線を照射するだけのパスを設けることができる。
【００５８】
つまり、本実施形態の印刷方法（図５）は比較例の印刷方法（図４）に比べて、上層画像を重ねる前に下層画像に紫外線を照射する時間を長くすることができ（仮照射部５１ａ，５１ｂが紫外線を照射するだけのパスを設けることができ）、下層画像を十分に硬化した状態で上層画像を重ねて印刷することができる。その結果、本実施形態では、画像の剥がれや、インクの凝集・滲みや、上層画像が下層画像に埋もれてしまう問題を、防止することができ、画像の品質低下を防止することができる。
【００５９】
また、本実施形態では、主画像を構成するラスターラインと背景画像を構成するラスターラインを、それぞれ、間に搬送動作を含む複数回のパス（吐出動作）によって形成する。この場合、先のパスで印刷された下層画像の部位と後のパスで印刷された下層画像の部位とで紫外線が照射されるパス数が異なるので、硬化度合いの違いによる画像の色むらが生じ易い。しかし、本実施形態の印刷方法では、下層画像の印刷後に媒体が照射用ノズル群と対向するため、後のパスで印刷された下層画像の部位も仮照射部５１ａ，５１ｂにより十分に硬化される。そのため、先のパスで印刷される下層画像の部位と後のパスで印刷される下層画像の部位との硬化度合いの違いによる色むらを抑制することができる。
【００６０】
ゆえに、各画像を構成するラスターラインを複数回のパスで印刷する場合、本実施形態の印刷方法のように主画像用ノズル群と背景画像用ノズル群との間に照射用ノズル群を設けて印刷することが、より有効である。また、各画像を構成するラスターラインを複数の異なるノズルで印刷することができ、不良ノズルによる画像の画質劣化を抑制することができる。
【００６１】
また、図５では、主画像用ノズル群及び背景画像用ノズル群の各搬送方向の長さ（４Ｄ）と照射用ノズル群の搬送方向の長さ（４Ｄ）とを等しくしている。また、主画像用ノズル群及び背景画像用ノズル群の搬送方向の長さ（４Ｄ）と、照射用ノズル群の搬送方向の長さ（４Ｄ）とが、１回の搬送動作における媒体搬送量（Ｄ）の整数倍（４倍）の長さとなっている。
【００６２】
仮に、主画像用ノズル群、背景画像用ノズル群、及び、照射用ノズル群の各搬送方向の長さ（４Ｄ）が媒体搬送量（Ｄ）の整数倍でなく、例えば、媒体搬送量が３Ｄであったとする。この場合、媒体の搬送方向の位置によって、媒体と対向する各ノズル群のノズル数が変動してしまう。その結果、例えば、２つの主画像用ノズルにより印刷されたラスターラインと１つの主画像用ノズルにより印刷されたラスターラインとが主画像内に存在することになり、主画像に色むらが生じ、印刷制御も複雑になってしまう。また、２つの照射用ノズルに対向する媒体領域と１つの照射用ノズルに対向する媒体領域とが存在することになり、下層画像に紫外線を照射する時間にばらつきが生じてしまう。そうすると、下層画像の硬化が不十分な領域が生じたり、下層画像の硬化度合いの違いによる色むらが生じたりしてしまう。
【００６３】
そこで、本実施形態（図５）のように、主画像用ノズル群の搬送方向の長さ、背景画像用ノズル群の搬送方向の長さ、及び、照射用ノズル群（非吐出領域）の搬送方向の長さ（４Ｄ）を、１回の搬送動作における媒体搬送量（Ｄ）の整数倍の長さにする。なお、非吐出領域の搬送方向の長さとは、下層画像を印刷するノズル群の搬送方向における下流側端部から上層画像を印刷するノズル群の搬送方向における上流側端部までの搬送方向の長さである。
【００６４】
そうすることで、主画像を構成するラスターライン、及び、背景画像を構成するラスターラインをそれぞれ印刷するノズル数（パス数）を一定にすることができ、画像の色むらを抑制することができ、印刷制御を容易にできる。  
また、搬送方向の位置によらずに媒体が照射用ノズル群と対向するパス数を一定にすることができ、下層画像の印刷が完了してから上層画像を重ねて印刷するまでの間に、下層画像に紫外線を照射する時間を一定にすることができる。よって、下層画像を全域に亘って十分に硬化することができ、画像の色むらを抑制することができる。
【００６５】
なお、ここまで、説明の容易のために、単方向印刷を例に挙げたが、これに限らない。ヘッド４１が移動方向の左側に移動する時にも右側に移動する時にもヘッド４１からインクを吐出する印刷方法（所謂、双方向印刷）を実施してもよい。
【００６６】
また、ヘッド４１が移動する方向に関係なく、常に、２つの仮照射部５１ａ，５１ｂが紫外線を照射するようにしてもよい。そうすることで、あるパスでヘッド４１から吐出されたＵＶインクは、そのパスで、ヘッド４１が移動する側の反対側に設けられた仮照射部５１により紫外線が照射されるだけでなく、次のパスでヘッド４１が新たにＵＶインクを吐出する前に、ヘッド４１が移動する側に設けられた仮照射部５１により紫外線が照射される。そのため、下層画像に照射する紫外線の照射量を増やすことができ、下層画像をより硬化させた状態で上層画像を重ねて印刷することができる。逆に言えば、２つの仮照射部５１ａ，５１ｂが紫外線を照射するようにすることで、照射用ノズル群に属するノズル数を減らし、仮照射部５１ａ，５１ｂが下層画像に紫外線を照射するためだけのパス数を減らすことができる。
【００６７】
また、図５Ａでは、仮照射部５１ａとノズル列Ｗ，Ｃｏの搬送方向の長さ及び搬送方向の位置を等しくしているが、これに限らない。例えば、仮照射部５１ａ，５１ｂをノズル列Ｗ，Ｃｏよりも搬送方向の下流側に延ばしてもよい。この場合、上層画像の所定の部位の印刷が完了した後に、その上層画像の部位は搬送方向下流側に延びた仮照射部５１と対向し、その上層画像の部位に紫外線が照射されるので、その上層画像の部位を十分に硬化することができる。ただし、本実施形態のプリンター１（図２Ｂ）では、キャリッジ３１の搬送方向下流側に本照射部５２が設けられているため、仮照射部５１ａ，５１ｂを搬送方向の下流側に延ばさなくても、上層画像を十分に硬化することができる。また、本照射部５２の無いプリンター１でもよい。
【００６８】
また、ここまで、１回のパスで、移動方向に並ぶ画素領域の１／４にドットを形成し、４回のパスで移動方向に並ぶ全画素領域にドットを形成するとしているが、これに限らない。例えば、１つの画素領域に同色のドットを重ねて印刷するようにしてもよい。即ち、各パスで移動方向に並ぶ全画素領域にドットを形成し、４回のパスで１つの画素領域に同色のドットが４個重ねて形成されるようにしてもよい。そうすることで、ＵＶインクによる媒体の埋まりを良くすることができ、画像の濃度を高めることができる。
【００６９】
＝＝＝本実施形態の印刷方法：実施例２＝＝＝
図６Ａから図６Ｃは、実施例２の印刷方法を説明する図である。図では、表刷りモードを例に挙げて説明する。前述の実施例１（図５）では、照射用ノズル群の搬送方向の長さが、主画像用ノズル群の搬送方向の長さ、及び、背景画像用ノズル群の搬送方向の長さと等しい場合だけを示し、照射用ノズル群の搬送方向の長さを固定している。
【００７０】
しかし、ＵＶインクの特性や、所望する画像の画質や、上層画像を重ねる前に必要な下層画像の硬化度合い等に応じて、媒体の所定領域に対する下層画像の印刷完了後から上層画像の印刷開始までの間に下層画像に照射すべき紫外線の照射量が異なる。
【００７１】
そこで、実施例２では、種々の条件に応じて、媒体の所定領域に対する下層画像の印刷完了後から上層画像を重ねて印刷するまでの間に下層画像に照射する紫外線の照射量を可変とする。即ち、下層画像の印刷後に、媒体の所定領域（下層画像）が照射用ノズル群と対向するパス数を可変とする。
【００７２】
そのために、実施例２では、主画像用ノズル群（第１のノズル群）の搬送方向の長さに対する照射用ノズル群（非吐出領域）の搬送方向の長さの比率、及び、背景画像用ノズル群（第２のノズル群）の搬送方向の長さに対する照射用ノズル群の搬送方向の長さの比率を、可変とする。言い換えると、主画像用ノズル群に属するノズル数、及び、背景画像用ノズル群に属するノズル数に対する照射用ノズル群に属するノズル数の比率を可変とする。
【００７３】
例えば、上層画像を重ねて印刷する前に下層画像に照射しなければならない紫外線の照射量が多い場合には、前述の実施例１の図５に示すように、主画像用ノズル群及び背景画像用ノズル群の各搬送方向の長さ（４Ｄ）に対する照射用ノズル群の搬送方向の長さ（４Ｄ）の比率を１（＝４Ｄ／４Ｄ）にする。そうすることで、媒体の所定領域は、下層画像の印刷後に、各画像を印刷するパス数と同じパス数に亘って照射用ノズル群と対向することができ、上層画像を重ねて印刷する前に下層画像に多量の紫外線を照射することができる。
【００７４】
一方、上層画像を重ねて印刷する前に下層画像に照射しなければならない紫外線の照射量が少ない場合には、図６Ａに示すように、主画像用ノズル群及び背景画像用ノズル群の各搬送方向の長さ（４Ｄ）に対する照射用ノズル群の搬送方向の長さ（３Ｄ）の比率３／４（＝３Ｄ／４Ｄ）を１よりも小さくするとよい。
【００７５】
この場合、媒体上の搬送方向における位置Ａには、パス１〜パス４で背景画像が印刷され、その後のパス５〜パス７で仮照射部５１ａにより背景画像に紫外線が照射され、その後のパス８〜パス１１で背景画像上に主画像が印刷される。即ち、この図６Ａでは、前述の図５に比べて、下層画像の印刷後に媒体の所定領域が照射用ノズル群と対向するパス数が４パスから３パスに減り、上層画像を重ねて印刷する前に下層画像に照射される紫外線の照射量が少なくなる。
【００７６】
また、上層画像を重ねて印刷する前に下層画像に照射する紫外線の照射量を更に少なくする場合には、図６Ｂに示すように、主画像用ノズル群及び背景画像用ノズル群の各搬送方向の長さ（４Ｄ）に対する照射用ノズル群の搬送方向の長さ（２Ｄ）の比率１／２（＝２Ｄ／４Ｄ）を、図６Ａの比率（３／４）よりも更に小さくするとよい。この場合、下層画像の印刷後に媒体の所定領域が照射用ノズル群と対向するパス数が２パスとなり、上層画像を重ねて印刷する前に下層画像に照射される紫外線の照射量が更に少なくなる。
【００７７】
このように、上層画像を重ねて印刷する前に下層画像に照射する紫外線の照射量を多くする必要がある場合には、主画像用ノズル群及び背景画像用ノズル群の各搬送方向の長さに対する照射用ノズル群の搬送方向の長さの比率を大きくし、下層画像に照射する紫外線の照射量が少なくて良い場合には、前記比率を小さくする。
【００７８】
照射用ノズル群の搬送方向の長さが長いほど、インクが吐出されないパス数が増え、画像を印刷するノズル群の搬送方向の長さが短くなるので、印刷時間が長くなってしまう。そのため、この実施例２のように、上層画像を重ねて印刷する前に下層画像の硬化に必要な紫外線の照射量に応じて照射用ノズル群の搬送方向の長さを短くすることで、印刷画像の品質劣化を抑制しつつ、印刷時間を短縮することができる。また、画像を印刷するノズル群の搬送方向の長さを所定の長さにするために、ノズル列の搬送方向の長さを長くする必要がなくなる。
【００７９】
ただし、前述のように、主画像用ノズル群の搬送方向の長さ、背景画像用ノズル群の搬送方向の長さ、及び、照射用ノズル群（非吐出領域）の搬送方向の長さを、１回の搬送動作における媒体搬送量の整数倍の長さにする。そうすることで、各画像を印刷するパス数、及び、媒体の所定領域が照射用ノズル群と対向するパス数を一定にすることができる。
【００８０】
また、ここまで、主画像用ノズル群、及び、背景画像用ノズル群の搬送方向の長さを４Ｄとし、媒体搬送量をＤとしているが、これに限らない。例えば、図６Ｃに示すように、主画像用ノズル群、及び、背景画像用ノズル群の搬送方向の長さを６Ｄとし、照射用ノズル群の搬送方向の長さを３Ｄとし、媒体搬送量を３Ｄとしてもよい。この場合、媒体の所定領域における主画像および背景画像は各々２パスで印刷され、上層画像が重なる前に仮照射部５１ａ，５１ｂが下層画像に紫外線を照射するパスは１パスとなる。
【００８１】
＝＝＝本実施形態の印刷方法：実施例３＝＝＝
照射用ノズル群の搬送方向の長さが長いほど（照射用ノズル群に属するノズル数が多いほど）、下層画像の印刷後に媒体の所定領域が照射用ノズル群と対向するパス数が増え、上層画像が重なる前に下層画像に照射される紫外線の照射量を多くすることができる。しかし、印刷時間が長くなってしまう。
【００８２】
そこで、実施例３では、照射用ノズル群の搬送方向の長さを短くした場合（照射用ノズル群に属するノズル数を少なくした場合）、下層画像の印刷後に媒体の所定領域が仮照射部５１ａ，５１ｂと対向するパス数が少なくなる代わりに、仮照射部５１ａ，５１ｂからの紫外線の照射強度（ｍＷ／ｃｍ２）を強くする。
【００８３】
つまり、主画像用ノズル群の搬送方向の長さに対する照射用ノズル群の搬送方向の長さの比率、及び、背景画像用ノズル群の搬送方向の長さに対する照射用ノズル群の搬送方向の長さの比率が或る値（第１の値）である場合に比べて、比率がその値よりも小さい値（第２の値）である場合の方が、仮照射部５１ａ，５１ｂからの紫外線の照射強度を強くする。
【００８４】
そうすることで、照射用ノズル群の搬送方向の長さを短くしたとしても、上層画像を重ねて印刷する前に下層画像に照射する紫外線の照射量（紫外線の照射強度×照射時間）を多くすることができる。よって、下層画像が十分に硬化した状態で上層画像を重ねて印刷することができ、また、印刷時間を短縮することができる。
【００８５】
なお、仮照射部５１ａ，５１ｂからの紫外線の照射強度を強くする場合には、例えば、仮照射部５１ａ，５１ｂへの印加電流を大きくするとよい。また、仮照射部５１ａ，５１ｂの全域の照射強度を強くしてもよいし、照射用ノズル群と移動方向に並ぶ仮照射部５１ａ，５１ｂの部位だけ照射強度を強くしてもよい。
【００８６】
図７は、照射用ノズル群の搬送方向の長さを決定するフローの一例である。照射用ノズル群の搬送方向の長さを短くした代わりに、仮照射部５１ａ，５１ｂからの紫外線の照射強度を強くしたとしても、照射用ノズル群の搬送方向の長さが長い場合の方が、上層画像が重なる前に下層画像を確実に硬化させることができる。
【００８７】
そこで、ユーザーにより「きれいモード」が設定されている場合（Ｓ０１→Ｙ）、例えば、プリンター１のコントローラー１０は、照射用ノズル群の搬送方向の長さが画像印刷用ノズル群（主画像用ノズル群・背景画像用ノズル群）の搬送方向の長さと等しい印刷方法（図５）を実行するように設定する（Ｓ０２）。一方、ユーザーにより「はやいモード」が設定されている場合（Ｓ０１→Ｎ）、コントローラー１０は、照射用ノズル群の搬送方向の長さが画像印刷用ノズル群の搬送方向の長さよりも短い印刷方法（図６Ａ〜図６Ｃ）を実行するように設定する（Ｓ０４）。
【００８８】
そして、コントローラー１０は、きれいモードの場合には、はやいモードの場合に比べて、仮照射部５１ａ，５１ｂからの紫外線の照射強度を弱くし（Ｓ０３）、逆に、はやいモードの場合には、きれいモードの場合に比べて、仮照射部５１ａ，５１ｂからの紫外線の照射強度を強くする（Ｓ０５）。
【００８９】
そうすることで、きれいモードの場合には、上層画像を重ねて印刷する前に下層画像が照射用ノズル群と対向するパス数を増やすことができ、下層画像が確実に硬化した状態で上層画像を重ねることができ、印刷画像の画質劣化を抑制することができる。一方、はやいモードの場合には、印刷時間を短縮することができ、また、仮照射部５１ａ，５１ｂからの紫外線の照射強度を強くするため、下層画像の硬化が不十分な状態で上層画像が重ねられてしまうことを防止できる。
【００９０】
また、印刷モードに応じて照射用ノズル群の搬送方向の長さを決定するに限らない。比較的に低い照射強度で長時間かけて紫外線を照射する方が画像に光沢感が出易いので、例えば、画像に光沢感を出したい場合には照射用ノズル群の搬送方向の長さを長くし、画像に光沢感を出したくない場合には照射用ノズル群の搬送方向の長さを短くしてもよい。つまり、所望する画像の画質に応じて、照射用ノズル群の搬送方向の長さを決定してもよい。
【００９１】
＝＝＝変形例＝＝＝
＜変形例１＞
前述の実施例では、主画像及び背景画像を構成する各ラスターラインを、それぞれ、間に搬送動作を含む複数回のパスで印刷する印刷方法（図５・図６）を例に挙げているが、これに限らない。例えば、主画像及び背景画像を構成する各ラスターラインをそれぞれ１回のパスで印刷する印刷方法、即ち、１回のパスで印刷される画像が搬送方向に並び、あるパスで印刷されたラスターライン間に他のパスのラスターラインが印刷されない印刷方法（所謂、バンド印刷）であってもよい。
【００９２】
バンド印刷において、仮に、図４に示すように、ホワイトノズル列Ｗの搬送方向上流側の半分のノズル（＃５〜＃８）を背景画像用ノズル群とし、カラーノズル列Ｃｏの搬送方向下流側の半分のノズル（＃１〜＃４）を主画像用ノズル群とし、媒体搬送量をノズル列の半分の長さ（４Ｄ）としたとする。そうすると、あるパスで媒体の所定領域に背景画像が印刷された後、その次のパスで媒体の所定領域の背景画像上に主画像が印刷され、背景画像の硬化が不十分な状態で主画像が重ねて印刷されてしまう。
【００９３】
そこで、バンド印刷時も、主画像用ノズル群と背景画像用ノズル群との間に照射用ノズル群（非吐出領域）を設けるようにするとよい。そうすることで、下層画像の硬化が十分な状態で上層画像を重ねて印刷することができる。
【００９４】
＜変形例２＞
前述の実施例では、ホワイトノズル列Ｗ，カラーノズル列Ｃｏにおいて、ノズルが搬送方向に所定の間隔Ｄおきに並んでいる。即ち、主画像用ノズル群と背景画像用ノズル群との間に位置するノズル（照射用ノズル群）からインクを吐出させないようにすることで、下層画像の印刷後に媒体の所定領域に対して仮照射部５１ａ，５１ｂが紫外線を照射するためだけのパスを設けるようにしているが、これに限らない。
【００９５】
例えば、主画像用ノズル群と背景画像用ノズル群との搬送方向の間にノズルが存在しない領域（非吐出領域）を設けてもよい。この場合、媒体の所定領域は下層画像の印刷後に非吐出領域（ノズルが存在しない領域）と対向するため、下層画像の印刷後に媒体の所定領域に対して仮照射部５１ａ，５１ｂが紫外線を照射するためだけのパスを設けることができる。よって、下層画像の硬化が十分な状態で上層画像を重ねて印刷することができる。
【００９６】
＜変形例３＞
前述の実施例では、背景画像を白インクのみで印刷しているが、これに限らない。白インクの種類によって白色の色味が若干異なるため、白インクのみで印刷すると、その白インクの色そのものの色が背景画像の色となってしまう。また、単純な白色ではなく、若干の有彩色を有する背景画像が所望されることもある。そこで、白インクと共に少量の４色インク（ＹＭＣＫ）を適宜使用して、所望の白色の背景画像（調整された白色の背景画像）を印刷するようにしてもよい。また、逆に、白インクに４色インクを混ぜることで、白インクが有する若干の色彩を打ち消すようにしてもよい。
【００９７】
また、背景画像を白色とするに限らず、白インク以外の色インク（例えば、メタリック系のインク）によって背景画像を印刷してもよい。また、４色インク（ＹＭＣＫ）だけで主画像を印刷するに限らず、４色インクに白インクを混ぜて主画像を印刷してもよい。
【００９８】
＜変形例４＞
前述の実施例では、主画像用ノズル群の搬送方向の長さと背景画像用ノズル群の搬送方向の長さを等しくしているが、これに限らない。例えば、背景画像は主画像ほどに高画質に印刷する必要がないため（印刷解像度を高くする必要がないため）、背景画像用ノズル群の搬送方向の長さを主画像用ノズル群の搬送方向の長さよりも短くしてもよい（即ち、背景画像用ノズル群に属するノズル数を減らしてもよい）。その代わり、白インクによる媒体の埋まりが良くなるように、例えば、背景画像用ノズル群から１回に吐出されるインク量を、主画像用ノズル群から１回に吐出されるインク量よりも多くするとよい。
【００９９】
＜変形例５＞
前述の実施例では、表刷りモードと裏刷りモードの両方を実行しているが、これに限らず、何れか一方のモードだけを実行するようにしてもよい。
【０１００】
また、前述の実施例では、主画像と背景画像の２種類の画像を重ねているが、これに限らず、例えば、３種類の画像（主画像と背景画像とコーティング画像）を重ねるようにしてもよい。この場合、ノズル列を５分割して、下層画像を印刷するノズル群と中央の画像を印刷するノズル群との間に照射用ノズル群を設け、中央の画像を印刷するノズル群と上層画像を印刷するノズル群との間に照射用ノズル群を設けるようにするとよい。
【０１０１】
＝＝＝その他の実施の形態＝＝＝
上記の実施形態は、主として画像形成装置について記載されているが、画像形成方法等の開示が含まれている。また、上記の実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【０１０２】
＜インクについて＞
前述の実施形態では、ヘッドから吐出する光硬化型インクとして、紫外線硬化型インクを例に挙げているが、これに限らない。例えば、可視光を照射すると硬化するインクでもよく、この場合、光照射部は可視光を照射するようにする。
【０１０３】
＜プリンターについて＞
前述の実施形態では、移動方向に移動するヘッドからインクを吐出する吐出動作と、媒体を搬送方向に搬送する搬送動作と、が繰り返されるプリンターを例に挙げているが、これに限らない。例えば、印刷領域に搬送された連続用紙に対して、ヘッドを媒体搬送方向に移動しながら画像を形成する動作と、ヘッドを紙幅方向に移動する動作と、を繰り返して画像を形成し、その後、未だ印刷されていない媒体部分を印刷領域に搬送するプリンターであってもよい。
【０１０４】
＜白色について＞
本明細書において「白色」とは、可視光線のすべての波長を１００％反射する物体の表面色である厳密な意味での白色に限らず、いわゆる「白っぽい色」のように、社会通念上、白色と呼ばれる色を含むものとする。「白色」とは、例えば、（１）x-rite社製の測色機eye-one Proを用いて測色モード：スポット測色、光源：Ｄ５０、バッキング：Black、印刷媒体：透明フィルムで測色した場合に、Ｌａｂ系での標記がａ*ｂ*平面上で半径２０の円周及びその内側にあり、かつＬ*が７０以上で表される色相範囲内の色か、（２）ミノルタ製の測色計CM２０２２を用いて測定モードＤ５０２°視野、SCFモード、白地バックで測色した場合に、Ｌａｂ系での標記がａ*ｂ*平面上で半径２０の円周及びその内側にあり、かつＬ*が７０以上で表される色相範囲内の色か、（３）特開２００４−３０６５９１号公報に記載されているように画像の背景として用いられるインクの色をいい、背景として用いられるのであれば純粋な白に限られない。
【符号の説明】
【０１０５】
１  プリンター、１０  コントローラー、１１  インターフェース部、
１２  ＣＰＵ、１３  メモリー、１４  ユニット制御回路、
２０  搬送ユニット、３０  キャリッジユニット、３１  キャリッジ、
４０  ヘッドユニット、４１  ヘッド、
５０  照射ユニット、５１ａ  第１仮照射部、５１ｂ  第２仮照射部、
５２  本照射部、６０  検出器群、７０  コンピューター
【図１】
0005803251.tif 000002
【図２】
0005803251.tif 000003
【図３】
0005803251.tif 000004
【図４】
0005803251.tif 000005
【図５】
0005803251.tif 000006
【図６Ａ】
0005803251.tif 000007
【図６Ｂ】
0005803251.tif 000008
【図６Ｃ】
0005803251.tif 000009
【図７】
0005803251.tif 000010